(57)【要約】【課題】  従来技術の問題を回避し、特にホブの所望構造を多くの異なったやり方で可能にする。【解決手段】  本発明は、独立的な構成部品として具現された、セラミックホブキャビティ（５０）のセラミックホブ用の誘導加熱装置（１１）に関する。上記誘導加熱装置は、支持装置（２０）を備え、これは、誘導コイル（１３）に加えて、電力電子回路（３３）及び制御電子回路（３７）を有する構成部品支持体（３１）を支持する。電線の電力に関する制御信号用の制御接続部（５９）と、電源接続部（５７）への直接接続部とが、上記誘導加熱装置（１１）上に設けられているだけである。制御電子回路（３７）は、電力電子回路（３３）に通じる電線の電力を確保する。上記誘導加熱装置（１１）は、従来の輻射加熱体（５５）と同一の外寸を有することが有利である。【選択図】図５
2008528918.tif 000002
【特許請求の範囲】
【請求項１】
支持装置（２０、１２０、２２）に載置された、又は固定された誘導コイル（１３、１１３、２１３）を有する、ホットプレート用の誘導加熱装置（１１、１１１、２１１）であって、
支持装置（２０、１２０、２２）上に、誘導コイル（１３、１１３、２１３）用の電力制御部に供給された電圧を変換する給電部（３０、１３０、２３０）が設けられており、
給電部は、電力電子回路（３３、１３３、２３３）及び制御電子回路（３７、１３７、２３７）を有し、
少なくとも電力電子回路用にファン装置（３９、１３９、２３９）が設けられており、
誘導加熱装置（１１、１１１、２１１）は、電力接続部及び電気制御接続部を有しており、
誘導加熱装置は、設置及び／または接続が容易なモジュールとして構成される、
ことを特徴とする、誘導加熱装置。
【請求項２】
支持装置（２０、１２０、２２）は、平形、特に皿状であり、支持装置は、誘導コイル（１３、１１３、２１３）と同一の表面積を占める、又はそれを全面的に担持することを特徴とする、請求項１に記載の誘導加熱装置。
【請求項３】
給電部（３０、１３０、２３０）は、印刷回路板または構成部品支持体（３１、１３１、２３１）を有し、これは好ましくは、誘導コイル（１３、１１３、２１３）にほぼ平行であって、電力電子回路（３３、１３３、２３３）及び／または制御電子回路（３７、１３７、２３７）を担持することを特徴とする、請求項１又は２に記載の誘導加熱装置。
【請求項４】
ファン装置（３９、１３９、２３９）は、支持装置（２０、１２０、２２０）に固定される、特に直接的に固定又は連結されることを特徴とする、先行する請求項のいずれか１項に記載の誘導加熱装置。
【請求項５】
ファン装置（３９、１３９、２３９）は、構成部品支持体（３１、１３１、２３１）に固定されるか、直接的に連結され、またスペーサ（２２、１２２、２２２）を介して支持装置（２０、１２０、２２０）上に係合することを特徴とする、請求項１〜３のいずれか１項に記載の誘導加熱装置。
【請求項６】
構成部品支持体（３１、１３１、２３１）は、スペーサ（２２、１２２、２２２）を介して支持装置（２０、１２０、２２０）に当て付けられ、特にスペーサを介して支持装置に機械的にしっかり連結されており、好ましくはカバー（４０、４１、４２）は、構成部品支持体（３１）を覆うか、それを取り囲み、特にカバーは、ほぼトレイ状の構造を有して受け部を形成し、構成部品支持体の表面を覆うとともに、側部（４２）が支持装置（２０）まで延出し、それにより、完成した誘導加熱装置（１１）は、実質的に密閉されたモジュールであるようにしたことを特徴とする、先行する請求項のいずれか１項に記載の誘導加熱装置。
【請求項７】
カバー（４０）は、もっぱら支持装置（２０）に固定され、且つ／又はスペーサ（２２）が、好ましくは外縁部（４２）の近傍で構成部品支持体（３１）に固定されることを特徴とする、請求項６に記載の誘導加熱装置。
【請求項８】
少なくとも外側領域で、支持装置（１２０、２２０）は、皿形受け部を形成するために突出したほぼ円周方向の側縁部（１２１、２２１）を有することを特徴とする、請求項１〜６のいずれか１項に記載の誘導加熱装置。
【請求項９】
特に給電部を形成する電力電子回路（１３３、２３３）、制御電子回路（１３７、２３７）及び／又はファン装置（１３９、２３９）を備える構成部品支持体（１３１、２３１）又は印刷回路板が、支持装置（１２０、２２０）の受け部内に固定され、好ましくは支持装置に固定されることを特徴とする、請求項３及び８に記載の誘導加熱装置。
【請求項１０】
皿形受け部は、カバー（１４０、２４０）で仕切られ、カバーは実質的に支持装置（１２０、２２０）の突出側縁部（１２１、２２１）に載置され、好ましくは平形の蓋のようであって、特に実質的に側縁部の近傍に載ることを特徴とする、請求項８又は９に記載の誘導加熱装置。
【請求項１１】
支持装置（１２０、２２０）の中央領域内に、給電部（１３０、２３０）又は構成部品支持体（１３１、２３１）をその上に位置的に正確に配置するための少なくとも１つのスペーサ（１２２、２２２）が設けられ、特にスペーサは、支持装置と一体状に連結される、又は一体構成部品であることを特徴とする、請求項８〜１０のいずれか１項に記載の誘導加熱装置。
【請求項１２】
支持装置（１２０、２２０）は、少なくとも２つの支持部品（１２０ａ、ｂ；２２０ａ、ｂ）を有し、一方の支持部品（１２０ａ、２２０ａ）は、誘導コイル（１３３、２１３）の平形支持部であり、他方の支持部品（１２０ｂ、２２０ｂ）は、給電部（１３０、２３０）又は構成部品支持体（１３１、２３１）を担持する、又はそれに連結されており、好ましくは支持装置の２つの部品は、堅固且つ離脱可能に相互連結され、特に第１支持部品（１２０ａ、２２０ａ）はほぼ皿状であり、好ましくは突出側縁部を備えていないことを特徴とする、請求項８〜１１のいずれか１項に記載の誘導加熱装置。
【請求項１３】
第２支持部品（１２０ｂ、２２０ｂ）は、給電部（１３０、２３０）又は構成部品支持体（１３１、２３１）用の皿状受け部を形成するための円周方向側縁部（１２１、２２１）を有し、側縁部は好ましくは、皿状中央部分から突出していることを特徴とする、請求項１２に記載の誘導加熱装置。
【請求項１４】
給電部（１３０、２３０）又は構成部品支持体（１３１、２３１）は、第２支持部品（１２０ｂ、２２０ｂ）に固定され、好ましくは該第２支持部品は、構成部品支持体上に係合するようにした、特に第２支持部品（１２０ｂ、２２０ｂ）と一体部を形成するスペーサ（１２２、２２２）を有することを特徴とする、請求項１２又は１３に記載の誘導加熱装置。
【請求項１５】
給電部（３０、１３０、２３０）は、電力電子回路（３３、１３３、２３３）及び制御電子回路（３７、１３７、２３７）用の単一の構成部品支持体（３１、１３１、２３１）を有し、好ましくは電力電子回路部品は、構成部品支持体の、誘導コイル（１３、１１３、２１３）の方に向く側に位置し、構成部品支持体は、誘導コイルから遠いモジュール端部に位置することを特徴とする、先行する請求項のいずれか１項に記載の誘導加熱装置。
【請求項１６】
給電部（３０、１３０、２３０）又はそれに含まれる電力電子回路（３３、１３３、２３３）は、単一のトランジスタインバータ（３４、１３４、２３４）を有して、誘導コイル（１３、１１３、２１３）とともに並列共振回路を形成することを特徴とする、先行する請求項のいずれか１項に記載の誘導加熱装置。
【請求項１７】
ファン装置（３９、１３９、２３９）は、誘導コイル（１３、１１３、２１３）と給電部（３０、１３０、２３０）又は構成部品支持体（３１、１３１、２３１）との間に位置付けられて、好ましくは給電部又は構成部品支持体との電気接続部を備え、それによって接続されることを特徴とする、先行する請求項のいずれか１項に記載の誘導加熱装置。
【請求項１８】
誘導コイル（１３、１１３、２１３）から遠い側、特に下側において、ファン装置（３９、１３９、２３９）の近傍で冷却空気用の吸い込みポート（４４、１４４、２４４）が設けられ、これらは冷却空気を吸い込んで、それらを偏向させて給電部（３０、１３０、２３０）、又は電力電子回路（３３、１３３、２３３）又はヒートシンク（３４、１３４、２３４）に吹き付け、好ましくは冷却空気循環が行われ、それは、電力電子回路に続いて、冷却空気流を制御電子回路（３７、１３７、２３７）へ案内し、それから支持装置（２０、１２０、２２０）の中央開口（２７、１２７、２２７）に通して、誘導コイルの空いた中央領域を通してモジュール外へ流すことを特徴とする、先行する請求項のいずれか１項に記載の誘導加熱装置。
【請求項１９】
たとえば電源電圧などの、発電に関して調整されない供給電圧（５７）に接続されるとともに、電力制御又は電力供給レベルの調節用の制御信号に接続される独立的モジュールとして構成されることを特徴とする、先行する請求項のいずれか１項に記載の誘導加熱装置。
【請求項２０】
外部が実質的に閉鎖され、且つ／又は、完成モジュールとして、誘導コイル（１３、１１３、２１３）を越えてわずかだけ突出する外側延長部分を有するモジュールであることを特徴とする、先行する請求項のいずれか１項に記載の誘導加熱装置。
【請求項２１】
幾つかのホットプレートと、それぞれの場合に関連した加熱装置とを備えたホブにおいて、ホブ（５０）は、支持トレイ（５４）を有し、その内部に加熱装置（１１、５５）が導入されて固定されているホブであって、少なくとも１つの加熱装置が、先行する請求項のいずれか１項に記載の誘導加熱装置（１１）であることを特徴とする、ホブ。
【請求項２２】
直接的に誘導加熱装置（１１）に送られる操作依存制御信号を発生する制御部を備える操作装置（６０、６１）を有することを特徴とする、請求項２１に記載のホブ。
【請求項２３】
電気機械式エネルギ制御装置を有し、これは、周期的機械スイッチを含み、その電気切り換え信号は、直接的に誘導加熱装置（１１）に送られることを特徴とする、請求項２１又は２２に記載のホブ。
【請求項２４】
好ましくはフィルタ付きの電源部（５７）を有し、ホブ（５０）の誘導加熱装置（１１）は、直接的に電源部に接続されていることを特徴とする、請求項２１〜２３のいずれか１項に記載のホブ。
【発明の詳細な説明】
【技術分野】
【０００１】
本発明は、ホットプレート用の誘導加熱装置とともに、そのような誘導加熱装置を有するホブに関する。
【背景技術】
【０００２】
誘導加熱装置を有するホブの構造は、たとえばドイツ特許出願第ＤＥ１９８１７１９７Ａ１号から既知であり、このドイツ特許出願では、個々の誘導コイルが、一定の状況で専用の支持体上で巻かれて、誘導ホブの受けトレイ内に配置されている。それらは中央電源に接続され、中央電源は、すべての誘導加熱装置用又は少なくとも２つの誘導加熱装置用のいずれかに設けられている。所定の電力段階に応じて、ホブ制御部は電源に信号を送って、対応の電力を特定の誘導加熱装置に供給できるようにする。
【０００３】
ホブ上の２つのホットプレートを誘導加熱装置で誘導加熱し、またその他のホットプレートを輻射加熱器で加熱することも、ドイツ特許出願第ＤＥ１９９３５８３５Ａ１号から既知である。両方の誘導加熱装置用に共通の電源が設けられ、これは、制御命令に応じて、一方又は両方の誘導加熱装置に電力を供給する。特に、２つの誘導加熱装置は、関連させたいわゆるツインモジュールとして構成されることができる。
【特許文献１】ドイツ特許出願第ＤＥ１９８１７１９７Ａ１号
【特許文献２】ドイツ特許出願第ＤＥ１９９３５８３５Ａ１号
【発明の開示】
【発明が解決しようとする課題】
【０００４】
本発明の課題は、上記誘導加熱装置及びそれを装備したホブを提供し、それにより、従来技術の問題を回避し、特にホブの所望構造を多くの異なったやり方で可能にすることである。
【課題を解決するための手段】
【０００５】
この課題は、請求項１の特徴を有する誘導加熱装置及び請求項２１の特徴を有するホブによって解決される。本発明の有利且つ好都合な発展が、さらなる請求項の主題事項を形成し、以下により詳細に説明されている。明確な参照により、請求項の表現は、明細書の内容の一部になる。
【発明の実施の形態】
【０００６】
本発明によれば、誘導コイルは、支持装置に載置又は固定され、これは、コイル線を上記支持装置上に巻くことで行われることもできる。支持装置上に給電部が設けられ、これは、誘導コイル用の電力制御部に供給された電圧、特に単相電源電圧を変換する。この目的のため、給電部は電力電子回路及び制御電子回路を有し、このために、誘電加熱装置は、電力電気接続部及び制御電気接続部を有する。ファン装置も設けられ、これは、少なくとも電力部を冷却するか、冷却空気を供給する。最後になるが、誘導加熱装置は、設置又は接続が容易なモジュールとして構成される。このことは、ホブの組み立て中にそれをホブに挿入して電気接続するだけでよい程度まで、予め組み立てられていることを意味する。好都合には、さらなる段階がまったく必要ない。
【０００７】
このように、本発明は、ホブに少なくとも１つのそのような誘導加熱装置を迅速且つ簡単に組み付けることができるようにする。また、誘導加熱装置は独立的に機能するユニットであり、これは、たとえば輻射加熱器とまさに同様にして、非常に簡単に接続され、追加の電力電子回路をまったく必要としない。このように、いわゆる四つ口ホブでは、４つの加熱装置を導入することができ、そのうちの任意数を本発明の誘導加熱装置で形成することができる。既知の誘導ホブと比べて、別体の電源又は電力電子回路がないため、これはホブの構造に関して本質的な役割をまったく果たさない。これはまた、たとえば、本発明でなければ中央又は結合電源用に必要になる空間が自由になるという利点を有する。これにより、ホブ上に加熱装置を配置するための設計範囲が増加する。これはまた、それぞれの場合に、誘導加熱装置及び輻射加熱装置の組み合わせを有する完全に任意且つ異なった配置の加熱装置をより小さい単位で低価格で製造できるようにする。
【０００８】
誘導コイルが平面的であって、近接させて巻いた単層の導線を有する、すなわち、それは単層形式である。この目的のため、支持装置もほぼ平形で、たとえば皿状である。それは、誘導コイルを全面的に、又はその全表面の上方に支持するが、それは個別の開口又は穴を有することができる。
【０００９】
複数の構成部品を有することができる給電部は、それらを誘導コイルにほぼ平行に延びることが有利である印刷回路板上に、又は一般的に言えば構成部品支持体上に好都合に担持する。特に有利なやり方で、は、制御電子回路及び／又は電力電子回路の電気構成部品すべてが、単一の構成部品支持体に、特に両側に取り付けられている。
【００１０】
ファン装置は、好都合には従来の一体型の比較的小さいファンであることができ、それは電気接続するだけでよい。このファンは、支持装置に、好都合には直接的にねじ又はクリップストップ装置などを使用して固定される。それはまた、直接的に構成部品支持体に固定又は連結されることもできる。それは、スペーサなどによって支持装置上に係合することもできる。
【００１１】
好都合には、構成部品支持体と支持装置との間にスペーサが設けられ、これにより、構成部品支持体を支持装置に対して、したがって誘導装置内で正確に位置決めすることができる。一方では、この場合、外側からの押し付け係合だけで位置決めを行うことが可能である。他方、たとえばスペーサを用いて、構成部品支持体を、支持装置に機械的に固定することができる。特に修理又は取り替えのために、そのような連結が取り外し可能でなければならない。
【００１２】
誘導加熱装置のさまざまな構成部品、特に構成部品支持体を覆うか、取り囲むカバーを設けることが可能である。カバーは、好都合にはほぼ閉鎖されるか、円周方向に設けられ、それにより、ほとんど密閉されたモジュールが得られる。当然ながら、電気ケーブルブッシュ用とともに換気開口の形で開口を設けることができる。
【００１３】
第１実施形態によれば、カバーは皿状である、すなわち、表面を有し、大部分の領域でそれから側縁部が突出することができる。それは、構成部品支持体の表面を覆うとともに、側部が支持装置まで延出することができる。カバーをもっぱら支持装置に固定すること、又はスタッド又はねじなどの締結手段で上記支持装置内に係合させることが可能である。カバーは、構成部品支持体又は構成部品支持体スペーサに付着されることができる。これにより、たとえば、カバーが構成部品支持体を支持装置に押し付け、好都合にはスペーサを介してそれに係合させるようにして、構成部品支持体をカバーに固定することが可能である。
【００１４】
本発明の別の構造の可能性によれば、支持装置は、少なくともその外側領域に突出側縁部を有し、それは全体的又はほとんど円周方向に設けられることができる。これにより、支持装置自体が、給電部及びファン装置を受け取るための皿状受け部を形成することができる。これらの部品は、受け部内に固定されることができ、直接的に支持装置に固定されることが有利である。受け部をカバーで閉鎖することができる。この場合、それを支持装置の突出側縁部上にほぼ載置することが有利であって、平形の蓋の形にすることができる。詳細には、構成部品支持体が誘導加熱装置の表面の大部分を占めるとき、カバーはそれに最小限に係合し、それにより、それを屈曲させないようにすることができる。代替として、支持装置の中央領域内にスペーサを設けることができ、給電部又は構成部品支持体の側方の外側締結に加えて、その中央締結又は固定も行うことができる。この領域では、カバーも作用することができ、その場合、それらの力がスペーサを介した連結によって直接的に支持装置に伝達されるからである。そのようなスペーサは、支持装置に一体状に連結されるか、一体部品を形成することができる。特にプラスチック部品として構成されるとき、スペーサはそれから突出することができる。
【００１５】
誘導加熱手段用の支持装置を少なくとも２つの支持部品から構成することが可能である。１つの支持部品は、誘導コイル用の平形支持部である、又はそれを担持することができる。別の支持部品は、給電部又はその構成部品支持体を担持することができる、又はそれに連結されることができる。好都合には、支持部品が相互連結され、固定されると同時に取り外し可能である機械連結により、有利な設置及び修理の可能性が得られる。
【００１６】
第１支持部品は、ほぼ皿状で平形であることができる。第２支持部品も皿形にすることができ、また給電部用の皿状受け空間を形成するために、特に１つの側縁部が突出している。側縁部は、ほぼ円周方向に延びて、同一高さであることができる。受け空間内で、構成部品支持体は、たとえばスペーサを介して第２支持部品に固定されることができる。スペーサは、第２支持部品から一体状に突出することができる。モジュール又は受け空間を閉鎖するために、上述したようにして、ほぼ皿状のカバーを設けることができる。
【００１７】
好都合には、一定領域においてモジュール又はカバーの円周方向側縁部が側縁部全体を形成し、開口又はリセスを有する小部分を設けることができる。これを通して、給電部の接続部などが外部へ突出することができる。特に開口を使用して、突出接続部を有する給電部を容易に挿入することができる。側縁部のこの中断部分は、他方の部品上の対応の突出部分によって閉鎖される、又は覆われることができる。特に構成部品支持体が、支持装置への結合前に皿状カバーに予め固定されている場合、誘導加熱装置の、構成部品支持体を固定する部品にそのような開口を設けることが特に有利である。
【００１８】
加熱装置をより簡単な構造にするために、給電部用の１つの構成部品支持体だけを設けることが有利であり、その上に電力電子回路及び制御電子回路の両方を配置する。電力電子回路の構成部品及び特に干渉界磁の影響をさほど受けない構成部品が、誘導コイルの方に向く側に配置されるような状況にすることができる。構成部品支持体が、モジュール上で誘導コイルから可能な限り遠くにある場合、これが特に有利である。制御電子回路部品、特に敏感な構成部品は、構成部品支持体の遠い側に位置付けられることが特に有利である。
【００１９】
誘導加熱装置用の給電部又は電力電子回路は、単一のトランジスタインバータを備えて構成されることが有利である。トランジスタインバータは、誘導コイルとともに並列共振回路を形成して、構成部品のコストを抑えることができる。特に電気パラメータに関して、誘導コイルに最適に合わせることもできる。
【００２０】
電力電子回路は好都合には、ヒートシンクを有し、その上に特に上記トランジスタインバータ又は他の電力構成部品が配置される。上記ヒートシンクは、たとえば上記スペーサの１つとして機能することもできる。それをアルミニウムから安定的に構成する結果、それは、機械的に堅固な連結又は力伝達が行われるようにして設置されることができる。
【００２１】
特に給電部または電力電子回路を冷却するファン装置は、誘導コイルと構成部品支持体または給電部との間に位置付けられることができる、すなわち、誘導装置モジュールに完全に組み込まれている。それは好都合には、給電を制御するために、給電部又は構成部品支持体に接続されている。
【００２２】
誘導コイルから遠い側であって、使用時に通常は下側である側において、冷却空気が１つまたは複数の所定の吸い込みポートを通して導入または吸い込まれるように、冷却空気循環を構成することができる。これらの吸い込みポートは、ファン装置の近くにあり、特にその真下にある。ファン装置は最初、冷却空気を給電部又は電力電子回路、又はそれ用に設けられたヒートシンクに吹き付ける。その後、冷却空気流はその他の電力電子回路及び制御電子回路も通過し、その後、それは加熱装置から流出する。この目的のため、支持装置の中央領域に開口を設け、それを通して冷却空気が流れることができることが有利である。特にカバーの下方にガラスセラミックホブ板などを設置するために、誘導コイルとホブ板の下側との間に数ミリメートルのエアギャップが設けられている。該ギャップを通って冷却空気が外部に逃げることができ、好ましくは、ほぼ半径方向外向きに広がって誘導コイル全体の上方を通過する冷却空気流が生じる。このために、空気案内部材を設けることができ、この方法で誘導コイルを冷却することができる。ここで、冷却空気がすでに誘導加熱装置の他の部品を冷却しており、したがって高温であることは有害ではない。従来の誘導コイルの温度適合性は、電気構成部品より十分に高く、一般的に２００°Ｃより高い。
【００２３】
加熱装置のすぐ上にファン装置を設け、それが誘導コイルも冷却できるようにすることにより、他の断熱の必要をなくすことが可能である。このため、構造がより簡単になり、組み立てがより迅速に行われる。
【００２４】
加熱装置は、誘導コイルの空いた中央領域内に温度センサを有することができ、それは、その上を通るホブ板又はカバーの温度を検出することができる。この目的のため、温度センサは、明確に定められる位置決めと温度測定の両方のために、下側の熱伝達接点に係合するように構成されることが有利である。中央を通り抜ける冷却空気循環の場合、それは温度センサを通り過ぎる。
【００２５】
好都合には、完成した誘導加熱装置モジュールは、誘導コイルの上方でわずかに側方に突出するだけである。これにより、モジュール全体を比較的コンパクトな構造にすることができる。これにより、ホブ内に比較的狭い範囲で省スペース化して、この形式の誘導加熱装置を、輻射加熱器などの他の加熱装置と一緒に配置することが可能である。
【００２６】
特に誘導コイル支持層装置の外側領域及び／又は中央領域に、スペーサ部材を形成することができる。それらは誘導コイルの上方に突出して、明確に定められた空間を確保するためにその上方を通るホブ板に付着させるために使用される。
【００２７】
本発明のホブは、幾つかの加熱装置を有し、そのうちの少なくとも１つが上記誘導加熱装置である。加熱装置は、ホブに、特に下側を仕切る支持トレイ又は上側を仕切るホブ板のいずれか一方に固定される。特に、そのようなホブでは、本発明の誘導加熱装置及び従来の輻射加熱器が組み合わされる。
【００２８】
ホブは、操作部品及び制御部を備える操作装置を有する。これにより、操作依存制御信号を発生して、少なくとも直接的に誘導加熱装置又はその制御電子回路に送られる。さらに、ホブ用の電源部が設けられており、電気リード線が、直接的に電源部から誘導加熱装置の給電部の電力電子回路に延びている。制御信号に応じて、給電部は誘導コイルへの給電の責任を負う。したがって、幾つかの誘導コイルに給電するために通常は集中的に設けられている他の電力電子回路が必要ない。
【００２９】
たとえば接点スイッチなどの操作部品によるホブの制御の代わりに、ドイツ特許出願第ＤＥ１９８３３９８３Ａ１号から既知であるような、電気機械式電力制御装置を設けることも可能である。それらは、周期的機械スイッチを含み、これは切り換え信号を発生するか、接続された輻射加熱器の場合、直接的にそれらに電力を供給する。対応の調節の場合、上記電気切り換え信号は、誘導加熱装置の制御電子回路にも送られることができる。一方で、永久動作で設定電力レベルを検出して、誘導コイルにおいて対応の電力レベルでの連続給電を確保することができる。他方、それは、輻射加熱器の場合とほぼ同様に、誘導コイルを周期的に、すなわち特定時間だけであるが全電力で動作させることができる。
【００３０】
上記及びさらなる特徴は、特許請求の範囲、説明及び図面から推論されることができ、個々の特徴は、単独又は小組み合わせの形のいずれでも、本発明の実施形態及び他の分野で実行されることができ、ここで保護を請求する有利で独立的に保護可能な構造を表すことができる。出願を個々の段落及び副標目に細分割することは、以下の記述の包括的な正当性を決して制限しない。
【００３１】
本発明の実施形態を添付図面に関連させて以下にさらに説明する。
【実施例】
【００３２】
図１はその上部分に、主要部品に分解した誘導加熱装置１１を示す。誘導コイル１３が、内側端子１６ａ及び外側端子１６ｂを備えるコイル線１５の数回巻線１４を有する。リード線１９を備えた温度センサ１８が、中央領域に位置している。
【００３３】
誘導コイル１３は、支持装置２０によって担持される、又はその上に支持されている。支持装置２０は、プラスチックから形成されることが有利であり、ほぼ平形であって板状である。それは、成形スペーサ２２を有し、その機能についてはさらに詳細に後述する。図４から最もよくわかるように、下側の対応の受け部２４内に、細長い平形のフェライト磁心２５が設けられて固定されている。支持装置２０は穴２７も有し、誘導コイル１３の端子１６及び温度センサ１８の端子１９がこれを通って下方へ進むことができる。
【００３４】
電気機器３０又は構成部品支持体３１、特に印刷回路板が、支持装置２０の下方に配置されている。それは主に、その上面に電力電子回路３３を担持し、その底面に主に制御電子回路３５を担持している。電力電子回路３３は、たとえばトランジスタ３４をヒートシンク３５とともに組み込んでいる。電力電子回路３３のさらなる構成部品は、誘導加熱装置の電力電子回路内に通常に存在するものである。制御電子回路３７の構成部品も一般的な構成部品、特にＩＣ又はより小型の構成部品である。
【００３５】
したがって、電気機器３０は給電部を形成し、より詳細に後述する。ファン装置３９は、たとえばラジアルファンなどの内蔵型ファンが有利であって、特にヒートシンク３５の、したがってトランジスタ３４のための直接冷却作用を有して給電部３０に取り付けられる、又は締結される。
【００３６】
下方からカバー４０が誘導装置１１に嵌め付けられ、これはほぼ平形のカバー板４１を有し、それからほぼ円周方向の側縁部４２が突出している。カバー４０は、プラスチック製であることが有利である。
【００３７】
支持装置２０の下方、特に誘導コイル１３及びフェライト磁心２５の下方に、それの下方の給電部を遮蔽するためのアルミニウム板２６を組み付け状態で配置することができる。
【００３８】
図１の最下部に、組み立て状態の誘導加熱装置１１が示されている。カバー４０又はその側縁部４２は、支持装置２０又はその外縁部までほぼ完全に取り囲んで延在し、このようにして閉鎖モジュールを形成できるようにしている。誘導コイル１３は、支持装置２０上に直接的に係合する。それのスペーサ２２に、給電部３０又は構成部品支持体３１が、特にねじ留め又は締結によって付着されている。誘導コイル１３の端子１６は、給電部３０の対応の端子に固定され、たとえばコイル線１５は、接点バンクに直接的にしっかり溶接される。ファン装置３９が、ヒートシンク３５の横に並べて位置付けられている。冷却空気の取り入れが、カバー４０の下部分又はカバー板４１内の冷却空気開口４４を通して行われる。代替として、ファン装置３９の性質及び配置に応じて、それらを側縁部４２上に設けることができる。冷却空気循環は、冷却空気開口４４及びヒートシンク３５を通過し、そこから冷却空気は構成部品支持体３１又は電力電子機器３３の残りの表面の上方を流れる。それは次に、中央穴２７を通過して、温度センサ１８を上向きの方向に通過し、その上方のホブ板の下側と誘導コイル１３の上部との間で半径方向外向きに広がる。このように、空気が吹き抜けた部品はすべて冷却される。
【００３９】
図２は、図１のものと同一の誘導コイル１１３の変更例を示す。それは、第１支持装置１２０ａの上に係合し、この支持装置は、フェライト磁心１２５用の対応の受け部１２４ａを有する単なる平板である。支持装置の第２部分はベース部品１２０ｂであり、その上にスペーサ１２２及び側縁部１２１の両方が形成されており、これらは好ましくは、円周状に構成されて、誘導加熱装置１１１を仕切る。
【００４０】
給電部１３０及びファン装置１３９が、図１の同じ部品に対応する。モジュールは、カバー１４０によって下側が仕切られ、カバーは平面的なカバー部品１４１を有するだけである、すなわち、側縁部又は同様のものを備えていない。
【００４１】
組み立て状態の誘導加熱装置１１１から、誘導コイル１１３及び給電部１３０が、上側支持部品１２０ａ及び下側支持部品１２０ｂを有する２部材式支持装置上にいかに係合するかが明らかである。給電部１３０又は構成部品支持体１３１は、スペーサ１２２上に係合してそれに固定されている。したがって、図１と比較して、支持装置は２部材式であって、それ自体が側縁部１２１を有する。しかしながら、カバーには側縁部がない。
【００４２】
図１及び図２の場合のように、図３でも、同一の誘導コイル２１３が、上側支持部品２２０ａとともに設けられている。給電部２３０及びファン装置２３９も、先行の図面のものに対応する。この場合も、支持装置は下側支持部品２２０ｂを有する、すなわち、２部材式支持装置である。しかしながら、スペーサ２２２は、個別の構成部品として構成されるとともに、個別に設置されている。下側支持部品２２０ｂは、突出した側縁部２２１を有する。下向きの方向において、カバー２４０は図２のものに対応する、すなわち、単に平面的なカバー板２４１である。
【００４３】
図３の最下部の誘導加熱装置２１１の組み立て状態から、スペーサ２２２が支持装置２２０上に形成されていない点を除いて、それが図２の変更例に対応することは、明らかである。
【００４４】
図４は、図１の誘導加熱装置１１の構造をさらに詳細に示す。丸形誘導コイル１３は、支持装置２０に付着されている、又は付着させることができる。幾つかのスペーサ２２が、ほぼ平形の支持装置２０の下側上に形成されている。また、スポーク様の受け部２４が形成され、その内部に平形のフェライト磁心２５を配置して固定することができる。その上方には、やはり対応形状のアルミニウム板２６が配置され、それは同一位置に、特に接続部を通すための穴２７を有し、支持装置２０も同じである。スペーサ２２も、アルミニウム板２６を貫通して突出している。短い側縁部分２１が、一カ所で支持装置２０から突出していることがわかり、それのさらなる詳細については後述する。
【００４５】
図５は、幾分異なった観点から、誘導加熱装置１１のアセンブリ全体を示す。図４に関してすでに記載した部品に加えて、給電部３０が示されている。それは構成部品支持体３１を有し、その上に電力電子回路３３が、トランジスタ３４及びヒートシンク３５と一緒に配置されている。ファン３９は、ヒートシンク３５に直接連結されて、直接的にその上に冷却空気を吹き付ける。構成部品支持体３１は、トランジスタ３４のすぐ背後で終了し、それにより、ヒートシンク３５がその上方に突出していることを念頭においていなければならない。
【００４６】
構成部品支持体３１は、右側で接続部分３２になり、これは少なくとも２つの差込式端子ラグを有し、これらは特に電源接続用に設けられている、すなわち、電力接続部、又は外部から電力電子回路３３への接続部を形成している。制御電子回路３７への制御接続は図示されていないが、対応の差込式端子ラグ又は平形差込式接続部によって容易に行われることができる。
【００４７】
構成部品支持体３１の下方にカバー４０が設けられ、これは実質的に皿状である。しかしながら、接続部分３２の近傍において、側縁部４２にリセスが設けられている。下側カバー板４１は、十分に遠くに延在し、それにより、それは接続部分３２を底部から支持又は覆っている。したがって、側縁部４２のリセス４３により、接続部分３２は、その他は閉鎖されている誘導加熱装置１１から突出することができる。リセス４３を再び閉鎖するために、小片の側縁部２１が支持装置２０に設けられている。
【００４８】
図６は、いかにして給電部３０がカバー４０に挿入されるかを示す斜め平面図である。ファン３９はヒートシンク３５の近くにあることが明らかである。いかにして接続部分３２がリセス４３を通って外へ突出し、したがって容易にアクセス可能であるかも明らかである。構成部品支持体３１は、カバー板４１の表面のほぼ三分の二を覆っており、ほぼ三角形の構造を有し、カバー４１の円形路に完全に沿っているわけではない。ここでは見えない制御電子回路３７は、構成部品支持体３１の下側に位置している。
【００４９】
図７は、完全なホブ５０を示し、これは、たとえばガラスセラミック材料製のホブ板５１を有し、これは、たとえば金属製の周縁フレーム５２を備えている。たとえば金属製又はプラスチック製の受けトレイ５４内にさまざまな加熱装置が配置され、本実施形態では、左側の２つの加熱装置は輻射加熱器５５であり、右側の２つのは、本発明に従ったさまざまな寸法の誘導加熱装置１１である。
【００５０】
受けトレイの後方の中央後部には、たとえば、従来のやり方でホブ５０を家庭で三相接続部に接続できるようにする電源接続部５７が設けられている。電源接続部５７から接続ケーブル５８ａが直接的に２つの誘導加熱装置１１又はそれらの接続部分３２へ出ている。また、接続ケーブル５８ｂが制御装置６０に延びており、これは、輻射加熱器５５の直接的給電の責任を負う。この目的のために、制御装置６０は、たとえば操作者用の接点スイッチを有し、これらはホブプレート５１の上部の対応のマーク６１で表されている。このように、特にホットプレート又は加熱装置の選択とともに、電力レベルの調節のための制御信号または操作命令を入力することができる。輻射加熱器５５に関して言うと、制御装置６０は、これを内部的に、たとえば選択された輻射加熱器５５を接続ケーブル５８ｂによって電源接続部５７に接続し、したがって特に周期的動作で全電力を供給する電力リレーを使用して行う。
【００５１】
誘導加熱装置１１の場合、制御線５９が制御装置６０から延びて、対応の命令を誘導加熱装置１１の制御電子回路３７に送る。電力電子回路３３が接続ケーブル５８ａによって電源接続部５７に直接接続されているので、制御電子回路３７はこのように電力を誘導加熱装置１１に直接的に供給する、または電力を制御することができる。
【００５２】
図７からわかるように、本発明のホブ５０内の本発明の誘導加熱装置１１は、外寸に関しては、たとえば輻射加熱器５５などの従来の加熱装置と同様に構成される。それらは、専用の制御及び電力電子回路を備える独立モジュールとして構成されることにより、ホブ５０は中央電力電子回路または電源を必要としない。必然的に、各ホブ用に電源接続部５７が設けられる。本発明の誘導加熱装置１１はまた、それらの配置構成に関して自由に変更されることができる。接続ケーブル５８及び制御線５９をホブ５０内に布設するだけでよく、これは特別な問題を発生させない。誘導加熱装置１１は、特にそれらの高さに関して輻射加熱装置５５に似た寸法を有することが有利である。一定の状況では、ばねクリップなどを有する同一の締結手段を使用することさえ可能であり、これは、いわゆる混合ホブ内での誘導加熱装置をより自由に配置できるようにする。
【図面の簡単な説明】
【００５３】
【図１】設置状態にある誘導加熱装置の構成部品を示す。
【図２】図１の誘導加熱装置の変更例を示す。
【図３】図１の誘導加熱装置の別の変更例を示す。
【図４】一体型支持部を有する図１に従った誘導加熱装置のより詳細な図である。
【図５】図４の誘導コイルに構成部品支持体及び皿状カバーを下側から締結したアセンブリを示す。
【図６】カバー内の図５の構成部品支持体の配置を上方から斜めに示す図である。
【図７】受けトレイ内に配置された加熱装置及びその上方のガラスセラミックホブ板を有する本発明のホブを示す。
【図１】
2008528918.tif 000003
【図２】
2008528918.tif 000004
【図３】
2008528918.tif 000005
【図４】
2008528918.tif 000006
【図５】
2008528918.tif 000007
【図６】
2008528918.tif 000008
【図７】
2008528918.tif 000009
【国際調査報告】
2008528918.tif 000010
2008528918.tif 000011
2008528918.tif 000012
2008528918.tif 000013